(57)【要約】【課題】衣服の内部に送風装置から空気を送り込むことで使用者の身体を冷却する際に、身体を広範囲に冷却することができる冷却服を提供する。【解決手段】冷却服１０００は、非通気性でありかつ少なくとも１つの第１貫通孔１０５が形成された中衣１００であって、外衣３００の下に着用される中衣１００と、内部に空気流路を有する筒状を呈する送風冶具２００であって、その先端部２０１が第１貫通孔１０５から中衣１００の外側に突き出るようにその基端部２０２が中衣１００に取り付けられる送風冶具２００と、を備え、送風冶具２００の先端部２０１に、中衣１００の内側に空気を送り込むための送風装置１が直接的又は間接的に着脱可能である。【選択図】図５
2020153050.tif 000002
【特許請求の範囲】
【請求項１】
非通気性でありかつ少なくとも１つの第１貫通孔が形成された中衣であって、外衣の下に着用される中衣と、
内部に空気流路を有する筒状を呈する送風冶具であって、その先端部が前記第１貫通孔から前記中衣の外側に突き出るようにその基端部が前記中衣に取り付けられる送風冶具と、を備え、
前記送風冶具の先端部に、前記中衣の内側に空気を送り込むための送風装置が直接的又は間接的に着脱可能である、冷却服。
【請求項２】
前記外衣には少なくとも１つの第２貫通孔が形成されており、
前記送風冶具は、その先端部が前記外衣の外側に突き出るように前記前記第１貫通孔及び前記第２貫通孔の順に挿し通される、請求項１に記載の冷却服。
【請求項３】
前記第１貫通孔の内周縁及び／又は前記第２貫通孔の内周縁には、前記送風冶具の外周面に当接するパッキンが装着されている、請求項２に記載の冷却服。
【請求項４】
前記送風冶具の基端部には、前記第１貫通孔よりも外径が大きいフランジが設けられており、前記フランジが前記中衣の第１貫通孔の周囲部に内側から突き当たることで、前記送風冶具の基端部が前記中衣に取り付けられる、請求項１〜３のいずれか一項に記載の冷却服。
【請求項５】
内周面に雌ネジが形成された環状の固定具をさらに備え、
前記送風冶具の基端部は、外周面に雄ネジが形成されており、前記第１貫通孔を間に挟んで前記送風冶具の基端部の雄ネジと前記固定具の雌ネジとが螺合することで、前記送風冶具の基端部が前記中衣に取り付けられる、請求項１〜３のいずれか一項に記載の冷却服。
【請求項６】
前記中衣の下に着用される胴着をさらに備え、
前記胴着は、身体の少なくとも背中に当たる部位に通気性及び弾力性を有するクッション材を備える、請求項１〜５のいずれか一項に記載の冷却服。
【請求項７】
前記胴着は、身体のさらに肩に当たる部位に前記クッション材を備える、請求項６に記載の冷却服。
【請求項８】
前記胴着は、身体のさらに横腹に当たる部位に前記クッション材を備える、請求項６又は７に記載の冷却服。
【請求項９】
前記胴着の前記クッション材を備える部位は、表地及び裏地を有し、前記表地と前記裏地との間に前記クッション材が介在されている、請求項６〜８のいずれか一項に記載の冷却服。
【請求項１０】
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備える、請求項１〜９のいずれか一項に記載の冷却服。
【請求項１１】
前記筒状容器は、前記収容器と前記蓋との間に介在するスペーサをさらに備え、
前記送風手段は、前記スペーサ内に位置するよう前記蓋に取り付けられている、請求項１０に記載の冷却服。
【請求項１２】
前記収容器は、前記空気出口側の開口部が網材で塞がれている、請求項１０又は１１に記載の冷却服。
【請求項１３】
前記収容器は、前記空気入口側の開口部が複数の孔が形成された板材により塞がれている、請求項１０〜１２のいずれか一項に記載の冷却服。
【請求項１４】
前記吸湿材及び前記蓄熱材は、混合した状態で前記筒状容器に収容されている、請求項１０〜１３のいずれか一項に記載の冷却服。
【請求項１５】
前記吸湿材及び前記蓄熱材は、互いが仕切られた状態で前記筒状容器に収容されている、請求項１０〜１３のいずれか一項に記載の冷却服。
【発明の詳細な説明】
【技術分野】
【０００１】
本発明は、衣服の内部に送風装置から空気を送り込むことで使用者の身体を冷却する際に着用する冷却服に関し、例えば作業服や防護服等の外衣と、外衣の下に着用する中衣との組み合わせからなる冷却服に関する。
【背景技術】
【０００２】
従来より、ファン等によって取り込んだ空気を例えば作業服や防護服等の外衣内に送り込むことにより身体を冷却する技術が知られている（例えば特許文献１を参照）。特許文献１では、ズボンの腰部に装着された送風装置から外衣内に送り込まれた空気が、外衣の内部で使用者の身体に沿って上昇するように流れることで使用者の身体に触れ、その際に身体の汗が気化することにより発生する気化熱によって身体を冷却することで、身体の体温上昇を抑制している。
【先行技術文献】
【特許文献】
【０００３】
【特許文献１】特開２０１７−１６６３４４号公報
【発明の概要】
【発明が解決しようとする課題】
【０００４】
特許文献１では、外衣が通気性の高い素材で作られたものであると、外衣内の気密性が低く、外衣内に送り込まれた空気が外衣の外側に漏れてしまう。そのため、外衣内に送り込まれた空気が、外衣の内部で使用者の身体に沿って安定して流れないことから、送風装置からの空気が外衣内を広範囲に行き渡らず、その結果、身体を広範囲に冷却することができないとの課題がある。
【０００５】
本発明は上記課題を解決するためになされたものであり、その目的は、衣服の内部に送風装置から空気を送り込むことで使用者の身体を冷却する際に、身体を広範囲に冷却することができる冷却服を提供することである。
【課題を解決するための手段】
【０００６】
本発明者らは鋭意検討した結果、以下に示す手段により、上記課題を解決できることを見出し、本発明に到達した。すなわち本発明は以下の構成からなる。
【０００７】
１．非通気性でありかつ少なくとも１つの第１貫通孔が形成された中衣であって、外衣の下に着用される中衣と、
内部に空気流路を有する筒状を呈する送風冶具であって、その先端部が前記第１貫通孔から前記中衣の外側に突き出るようにその基端部が前記中衣に取り付けられる送風冶具と、を備え、
前記送風冶具の先端部に、前記中衣の内側に空気を送り込むための送風装置が直接的又は間接的に着脱可能である、冷却服。
２．前記外衣には少なくとも１つの第２貫通孔が形成されており、
前記送風冶具は、その先端部が前記外衣の外側に突き出るように前記前記第１貫通孔及び前記第２貫通孔の順に挿し通される、上記項１に記載の冷却服。
３．前記第１貫通孔の内周縁及び／又は前記第２貫通孔の内周縁には、前記送風冶具の外周面に当接するパッキンが装着されている、上記項２に記載の冷却服。
４．前記送風冶具の基端部には、前記第１貫通孔よりも外径が大きいフランジが設けられており、前記フランジが前記中衣の第１貫通孔の周囲部に内側から突き当たることで、前記送風冶具の基端部が前記中衣に取り付けられる、上記項１〜３のいずれか一項に記載の冷却服。
５．内周面に雌ネジが形成された環状の固定具をさらに備え、
前記送風冶具の基端部は、外周面に雄ネジが形成されており、前記第１貫通孔を間に挟んで前記送風冶具の基端部の雄ネジと前記固定具の雌ネジとが螺合することで、前記送風冶具の基端部が前記中衣に取り付けられる、上記項１〜３のいずれか一項に記載の冷却服。
６．前記中衣の下に着用される胴着をさらに備え、
前記胴着は、身体の少なくとも背中に当たる部位に通気性及び弾力性を有するクッション材を備える、上記項１〜５のいずれか一項に記載の冷却服。
７．前記胴着は、身体のさらに肩に当たる部位に前記クッション材を備える、上記項６に記載の冷却服。
８．前記胴着は、身体のさらに横腹に当たる部位に前記クッション材を備える、上記項６又は７に記載の冷却服。
９．前記胴着の前記クッション材を備える部位は、表地及び裏地を有し、前記表地と前記裏地との間に前記クッション材が介在されている、上記項６〜８のいずれか一項に記載の冷却服。
１０．前記送風装置は、一端に空気入口を有するとともに前記一端と対向する他端に空気出口を有する筒状容器と、前記空気入口から前記空気出口に向けて前記筒状容器内に空気を流通させる送風手段と、前記筒状容器の少なくとも一部に収容される吸湿材と、前記筒状容器の少なくとも一部に収容される蓄熱材と、を備え、前記筒状容器は、両端に開口部を有しかつ前記吸湿材及び前記蓄熱材を収容する収容器と、前記空気出口を有しかつ前記収容器が入れられるケーシングと、前記空気入口を有しかつ前記ケーシングに着脱可能な蓋と、を備える、上記項１〜９のいずれか一項に記載の冷却服。
１１．前記筒状容器は、前記収容器と前記蓋との間に介在するスペーサをさらに備え、前記送風手段は、前記スペーサ内に位置するよう前記蓋に取り付けられている、上記項１０に記載の冷却服。
１２．前記収容器は、前記空気出口側の開口部が網材で塞がれている、上記項１０又は１１に記載の冷却服。
１３．前記収容器は、前記空気入口側の開口部が複数の孔が形成された板材により塞がれている、上記項１０〜１２のいずれか一項に記載の冷却服。
１４．前記吸湿材及び前記蓄熱材は、混合した状態で前記筒状容器に収容されている、上記項１０〜１３のいずれか一項に記載の冷却服。
１５．前記吸湿材及び前記蓄熱材は、互いが仕切られた状態で前記筒状容器に収容されている、上記項１０〜１３のいずれか一項に記載の冷却服。
【発明の効果】
【０００８】
本発明によれば、使用者により外衣の下に着用される中衣が非通気性であり、中衣の内側の気密性が高いため、送風装置により中衣の内側に送り込まれた空気が中衣の外側に漏れることを防止することができる。よって、送風装置により中衣の内側に送り込まれた空気が、中衣の内側で使用者の身体に沿って安定して流れることから、空気が中衣の内側を広範囲に行き渡り、身体の汗が良好に気化する。その結果、気化熱を利用した身体の冷却効果を効果的に得ることができる。
【０００９】
また、本発明によれば、中衣に手軽に取り付けられる送風冶具による簡易な構成で送風装置からの空気を中衣の内側に送り込むようにしたため、外衣を脱いでも中衣へ送風できる。また、使用状況や作業状況に応じて、防護性等の性能の異なる外衣に交換することも容易にできる。また、使用状況や作業状況に応じて、異なる性能の送風装置に交換することも容易にできる。
【図面の簡単な説明】
【００１０】
【図１】使用者が冷却服を装着した状態を示す背面図である。
【図２】使用者が中衣を装着した状態を示す背面図である。
【図３】送風冶具の正面図である。
【図４】送風冶具の背面図である。
【図５】送風冶具に送風装置は接続された状態の内部構造を概略的に示す断面図である。
【図６】使用者が外衣を装着した状態を示す背面図である。
【図７】使用者が胴着を装着した状態を示す背面図である。
【図８】胴着の正面図である。
【図９】胴着の背面図である。
【図１０】胴着の平面図である。
【図１１】胴着の左側面図である。
【図１２】図８のＡ−Ａ断面図である。
【図１３】図８のＢ−Ｂ断面図である。
【図１４】送風装置のケーシングの（Ａ）左側面図及び（Ｂ）正面図である。
【図１５】送風装置の蓋の（Ａ）右側面図及び（Ｂ）正面図である。
【図１６】送風装置の収容器及びスペーサの内部構造を概略的に示す断面図である。
【図１７】送風装置の収容器の本体部の左側面図である。
【図１８】送風装置の収容器の蓋部の左側面図である。
【図１９】変形例の送風冶具に送風装置は接続された状態の内部構造を概略的に示す断面図である。
【図２０】中衣を着用した場合と中衣を着用しない場合とにおける送風量と放熱量との関係を示すグラフである。
【発明を実施するための形態】
【００１１】
本発明に係る冷却服は、例えば作業現場での作業を行う作業者が着用するものであって、冷却服内に送風を行って作業者の体温の上昇を抑制するものであり、特に、冷却服内に空気を広範囲に流通させることで、作業者の身体を広範囲に冷却するものである。以下、本発明に係る冷却服の実施形態について図面を参照しつつ詳細に説明する。
【００１２】
本実施形態の冷却服１０００は、図１に示すように、使用者により着用される中衣１００と、中衣１００に備え付けられる送風冶具２００と、使用者により中衣１００の上（外側）に着用される外衣３００と、使用者により中衣１００の下（内側）に着用される胴着４００（図示省略）と、中衣１００の内側に空気を送り込むための送風装置１とを備える。
【００１３】
まず、図２に示すように、中衣１００は、非通気性（空気不透過性）である。ここで、「非通気性」とは、完全に空気を通さない性質だけに限定されるものではなく、通気性が低くてわずかに空気を通す性質も含むものであり、例えば通気度が０〜２０ｃｍ３/ｃｍ２・ｓ、好ましくは０〜１０ｃｍ３/ｃｍ２・ｓであることを指す。中衣１００が非通気性であることで、送風装置１により中衣１００の内側に送り込まれた空気（外気）が中衣１００を透過して中衣１００の外側に漏れてしまうことを防止することができる。
【００１４】
中衣１００は、非通気性の素材を用いて作製することができる。非通気性の素材としては、生地（織物、編物、不織布）に樹脂をラミネートもしくはコーティングした材料や、生地に樹脂フィルムを積層した材料、樹脂フィルム、高密度の生地にカレンダー加工した材料等を例示することができる。なお、中衣１００を非通気性とするためには、少なくも裏地（身体側の生地）を非通気性の素材としてもよい。中衣１００の形態は、特に限定されるものではなく、身体の全身を覆う形態であってもよいし、身体の上半身又は下半身を覆う形態であってもよい。また、中衣１００の上半身の部分は、袖部のある長袖又は半袖の形態であってもよいし、袖部のないベストの形態であってもよい。本実施形態では、中衣１００は、身体の全身を覆う長袖の形態のものである。さらに、中衣１００は、前側の正面部がファスナーやボタン等により左右に開閉可能な形態であってもよいし、正面部が左右に開閉せずに一連に繋がる形態であってもよい。
【００１５】
送風装置１により中衣１００の内側に送り込まれた空気は、中衣１００の袖口部１０３や襟部１０４、裾部１０２から中衣１００の外側に排出されるが、裾部１０２、袖口部１０３及び襟部１０４のいずれかを身体に密着するようにして、その密着部分からは中衣１００の内側の空気が外側に漏れ出ないようにしてもよい。
【００１６】
中衣１００には、第１貫通孔１０５が形成されている。第１貫通孔１０５は、例えば中衣１００の後ろ側の背面部１０２に形成することができる。図５に示すように、中衣１００の第１貫通孔１０５に送風冶具２００が装着される。中衣１００の第１貫通孔１０５の内周縁は補強処理が行われるか、又は、送風冶具２００の外周面（本実施形態では水平部２０３の外周面）に当接するパッキン（図示せず）が装着されることが好ましい。パッキンを装着すると、中衣１００の内側の気密性が向上し、中衣１００の内側に送風冶具２００から送られる外気以外の空気、ガス、湿気、粉塵等が導入することを防止できる。
【００１７】
次に、図３〜図５に示すように、送風冶具２００は、送風装置１が着脱され、送風装置１から供給される空気を中衣１００の内側に導くためのものである。送風冶具２００は両端が開口した筒状を呈しており、内部が空気が流通する空気流路となる。送風冶具２００の素材は、特に限定されず、例えば樹脂製又は金属製とすることができるが、軽量性の点から樹脂製であることが好ましい。
【００１８】
送風冶具２００は、その先端部２０１が第１貫通孔１０５から中衣１００の外側に突き出るようにその基端部２０２が中衣１００に取り付けられる。本実施形態の送風冶具２００は、Ｌ字型を呈していて、中衣１００の第１貫通孔１０５から水平に延びる水平部２０３と、水平部２０３と直交する鉛直部２０４とを含んでおり、水平部２０３に基端部２０１があり、鉛直部２０４に先端部２０１がある。
【００１９】
送風冶具２００の先端部２０１には、送風装置１が直接的、又は蛇腹等の送風ホース５００を介して間接的に着脱される。送風冶具２００の基端部２０２には、中衣１００の第１貫通孔１０５よりも外径が大きいフランジ２０５が設けられている。送風冶具２００は、先端部２０１が中衣１００の外側に突き出るように中衣１００の内側から外側に向けて第１貫通孔１０５に挿し通された後、フランジ２０５が中衣１００の第１貫通孔１０５の周囲部に内側から突き当たって第１貫通孔１０５から抜け出ないことで、基端部２０２が中衣１００に取り付けられる。
【００２０】
次に、図６に示すように、外衣３００は、中衣１００の上（外側）に着用するものであれば特に限定されず、その形態は、例えば本実施形態のような身体の全身を覆う形態とすることができ、上半身を覆う部分と下半身を覆う部分とが繋がった形態（ワンピース型）であってもよいし、身体の上半身を覆う部分と下半身を覆う部分とが離された形態（ツーピース型）であってもよい。外衣３００としては、例えば作業服、防護服、防塵衣、耐火服、耐蜂服、レーシングドライバー用衣類、ジャンパー（ブルゾン）、ユニフォーム、合羽等、種々のものを例示することができる。外衣３００には、第２貫通孔３０２が形成されている。第２貫通孔３０２は、例えば外衣３００の後ろ側の背面部３０１に形成することができる。外衣３００の第２貫通孔３０２は、図５に示すように、送風冶具２００が挿し通される。送風冶具２００は、中衣１００の第１貫通孔１０５に挿し通された後、外衣３００の内側から外側に向けて第２貫通孔３０２に挿し通されることで、先端部２０１が外衣３００の外側に突き出て、先端部２０１に送風装置１が着脱される。外衣３００の第２貫通３０２の内周縁は、送風冶具２００の外周面（本実施形態では水平部２０３の外周面）に当接するパッキン３０３が装着されることが好ましい。パッキン３０３により、外衣３００の内側の気密性が向上し、外衣３００の内側に外気、ガス、湿気、粉塵等が導入することを防止できる。
【００２１】
次に、図７に示すように、胴着４００は、中衣１００の下（内側）に着用するものである。図８〜図１３に示すように、胴着４００は、身体の前側（胸側）を覆うための左右の前面部４０１Ｒ，４０１Ｌと、身体の後側（背中側）を覆うための後面部４０２とからなるベスト型のものであり、左右の前面部４０１Ｒ，４０１Ｌをファスナー４０３により開閉することで容易に着衣及び脱衣が可能である。
【００２２】
左右の前面部４０１Ｒ，４０１Ｌは、身体の胸と腹の前側とを覆うことが可能な大きさ・形状に形作られている。左右の前面部４０１Ｒ，４０１Ｌは、本実施形態では１枚の生地により形成されているが表地及び裏地の２枚の生地で形成されていてもよい。一方で、後面部４０２は、身体の背中から上方においては両肩までを覆うとともに側方においては左右の横腹（脇腹）までを覆うことが可能な大きさ・形状に形作られている。後面部４０２は、表地４０６及び裏地４０７の２枚の生地によって形成されている。左右の前面部４０１Ｒ，４０１Ｌと後面部４０２との接続部分はパイピング始末４０４が施されている。また、左右の前面部４０１Ｒ，４０１Ｌ及び後面部４０２の首及び両腕の出る部分、及び、後面部４０２の下縁部についてもそれぞれパイピング始末４０４が施されている。また、後面部４０２には、複数箇所に表地４０６と裏地４０７とを縫着するステッチ４０５が施されている。
【００２３】
左右の前面部４０１Ｒ，４０１Ｌ及び後面部４０２を形成する生地としては、通気性を有する生地が用いられている。通気性を有する生地としては、例えば合成繊維からなるメッシュ生地を用いることができる。メッシュ生地を形成する合成繊維としては、ポリエステル、ナイロン、ポリウレタン等を例示することができる。なお、図面では、左右の前面部４０１Ｒ，４０１Ｌ及び後面部４０２のメッシュ柄は図示を省略している。
【００２４】
後面部４０２の表地４０６と裏地４０７との間には、弾力性及び通気性を有するクッション材４０８が介在している。つまり、胴着４００は、身体の背中、肩及び横腹に当たる部位に通気性及び弾力性を有するクッション材４０８を備えている。このクッション材４０８は、例えば使用者が外衣３００の上にハーネスやサスペンダーを装着したり、外衣３００の上から重い荷物や装備品等を背負ったりする等して衣服に荷重が掛かった場合においても、その荷重を受けとめて中衣１００と身体との間の空間が押しつぶされることを防止することで、中衣１００内において送風装置１から送り込まれる空気の流れを確保する空気流路を形成して、中衣１００内の送風の阻害を防止するものである。
【００２５】
クッション材４０８としては、弾力性及び通気性を有していて、外衣３００の上から加えられる荷重に対し中衣１００内の空気流路を確保して送風の阻害を防止可能なものであれば特に限定されるものではないが、例えば熱可塑性樹脂の３次元網状構造体や、エステル、ナイロン、ポリプロピレン、ポリエチレン等の合成繊維フィラメントを用いたダブルラッセル編物等を用いることができる。その中でも、荷重を受けた際に中衣１００内での送風阻害を効果的に防止可能なクッション性、胴着４００を着用した際の装着感、及びクッション材４０８の加工性等を考慮すると、３次元網状構造体を好ましく用いることができる。３次元網状構造体は、熱可塑性弾性樹脂からなる多数の線条がランダムループを形成し、かつ該線条の接点の少なくとも一部を融着してなるものである。３次元網状構造体を形成する熱可塑性弾性樹脂としては、ポリエステル系、ポリオレフィン系、ポリウレタン系等の熱可塑性樹脂エラストマーを例示することができる。この３次元網状構造体は、例えば特許第４８０２３６９号公報に記載されたものを好ましく用いることができる。
【００２６】
クッション材４０８は、特に限定されるものではないが、その厚みが５ｍｍ以上７０ｍｍ以下であることが好ましく、１０ｍｍ以上５０ｍｍ以下であることがより好ましい。クッション材４０８の厚みが５ｍｍ以上であると、荷重を受けた際に中衣１００内に空気流路を十分に形成することができ、中衣１００内における送風阻害を良好に防止することができる一方で、クッション材４０８の厚みが７０ｍｍ以下であると、胴着４００を着用した際の装着感を損なうことがなく、胴着４００の着心地を良好にすることができるからである。
【００２７】
また、クッション材４０８は、特に限定されるものではないが、その見掛け密度が１０ｋｇ/ｍ３以上１００ｋｇ/ｍ３以下であることが好ましい。クッション材４０８の見掛け密度が１０ｋｇ/ｍ３以上であると、荷重を受けた際に中衣１００内に空気流路を十分に形成することができ、中衣１００内における送風阻害を良好に防止することができる一方で、クッション材４０８の見掛け密度が１００ｋｇ/ｍ３以下であると、胴着４００を着用した際の装着感を損なうことがなく、胴着４００の着心地を良好にすることができるからである。
【００２８】
さらに、クッション材４０８は、特に限定されるものではないが、その厚み方向に５０％圧縮した後の回復率が７０％以上であることが好ましく、８０％以上であることがより好ましい。クッション材４０８を厚み方向に５０％圧縮した後の回復率が７０％以上であると、荷重を受けた際に中衣１００内に空気流路を十分に形成することができ、中衣１００内における送風阻害を良好に防止することができるうえ、繰り返しの使用に良好に耐えることができる。
【００２９】
次に、送風装置１は、図５及び図１４〜図１８に示すように、筒状容器２と、筒状容器２内に空気を流通させる送風手段３と、筒状容器２の少なくとも一部に収容される吸湿材４と、筒状容器２の少なくとも一部に収容される蓄熱材５とを少なくとも備えた構成のものである。
【００３０】
筒状容器２は、一端（図示例では左端）に空気入口６を有し、前記一端と対向する他端（図示例では反対側の右端）に空気出口７を有している。空気出口７は、直接的に又は送風ホース５００を介して間接的に送風冶具２００の先端部２０１に接続される。空気入口６は外部から空気を筒状容器２内に取り入れ、空気出口７は筒状容器２内の空気を外部に送り出し、筒状容器２の内部は空気入口６から空気出口７に向けて空気が流れる流通路となっている。筒状容器２は例えば金属製又は樹脂製とすることができるが、放熱性及び軽量性の点からアルミニウム製であることが好ましい。
【００３１】
筒状容器２は、複数のパーツで構成されており、外殻をなすケーシング８と、ケーシング８に着脱可能な蓋９と、ケーシング８内に入れられる収容器１０と、収容器１０と蓋９との間に介在するスペーサ１１とを備えている。
【００３２】
ケーシング８は、図５及び図１４に示すように、一端（図示例では左端）が開口し、前記一端と対向する他端（図示例では反対側の右端）側の端壁８０に中央の貫通孔と連通するようにして筒状の空気出口７が一体に連設されている。ケーシング８の周壁８１の一端側の外周面には雄ネジ８２が設けられており、蓋９に設けられた雌ネジ９２と螺合することで、ケーシング８に蓋９が取り付けられる。ケーシング８の周壁８１は、内部に収容器１０及びスペーサ１１を収容可能な寸法に形成されている。
【００３３】
蓋９は、図５及び図１５に示すように、一端（図示例では右端）が開口し、前記一端と対向する他端（図示例では反対側の左端）側の端壁９０に中央の貫通孔と連通するようにして筒状の空気入口６が一体に連設されている。蓋９の周壁９１の内周面に雌ネジ９２が設けられている。蓋９の端壁９０には間隔をあけて複数のネジ孔９３が形成されている。この複数のネジ孔９３は、送風手段３としてのファンをボルト１２等を用いて蓋９に取り付けるためのものである。
【００３４】
送風手段３は、図５に示すように、筒状容器２の内部に空気の流れを強制的に生じさせ、空気入口６から空気出口７に向けて筒状容器２内に空気を流通させる。送風手段３としては、例えばファンを用いることができる。ファンは、回転軸が筒状容器２の中心軸に一致するように蓋９に取り付けられる。ファンには、図示は省略するが、電池や電源装置等の電源から駆動のための電力が供給される。ファンは、オンオフや送風強さを切り替えるスイッチが接続されることによりファンの駆動及び停止や、回転数が制御されてもよい。
【００３５】
収容器１０は、図５及び図１６に示すように、吸湿材４及び蓄熱材５を収容する。本実施形態では、収容器１０は、吸湿材４及び蓄熱材５を混合した状態で収容している。収容器１０は、両端に空気の出し入れのための開口部を有しており、ケーシング８内の空気の流通路に設置される。空気が収容器１０内を通過する際に吸湿材４と接触することで、空気に含まれる水蒸気が吸湿材４により吸着されて、空気が除湿される。このとき、吸湿材４による水蒸気の吸着は発熱反応であるため、水蒸気の吸着に伴い吸湿材４には吸着熱が生じるが、この吸着熱が蓄熱材５に伝達されて潜熱として蓄熱されることで、吸着熱により吸湿材４を通過した空気の温度上昇が抑制される。よって、空気入口６から取り込まれた空気が水蒸気を多く含んでいても、乾燥した低温空気として空気出口７に送り出すことができる。
【００３６】
収容器１０は、本実施形態では、空気入口６側の開口部が、複数の孔が間隔をあけて均一に穿設された多孔状の板材１３で塞がれ、空気出口７側の開口部が、複数の網目を有するメッシュ状の網材１４で塞がれている。板材１３及び網材１４は例えばアルミニウム等の金属製であり、収容器１０内の吸湿材４及び蓄熱材５が収容器１０の外部に漏れ出すことを防止している。また、収容器１０の空気入口６側の開口部が多孔状の板材１３により塞がれていることで、空気入口６から導入された空気は、板材１３の表面に沿って径方向に広がりながら各孔より収容器１０内に取り込まれるため、収容器１０内を径方向で均等に流通する。そのため、流通する空気が収容器１０内の吸湿材４に満遍なく接触することで、効果的に除湿される。そして、収容器１０の空気出口７側の開口部がメッシュ状の網材１４で塞がれていることで、除湿された空気は網材１４の複数の網目からスムースに収容器１０内から取り出されて空気出口７に送られる。
【００３７】
また、収容器１０は、図５及び図１６〜図１８に示すように、本実施形態では、吸湿材４及び蓄熱材５を収容する本体部１１０と、本体部１１０に着脱可能な蓋部１１４とで構成されている。本体部１１０は、一端（図示例では左端）が開口した筒状を呈しており、前記一端と対向する他端（図示例では反対側の右端）側の端壁１１２に網材１４が一体に設けられている。本体部１１０の周壁１１１の一端側の内周面には雌ネジ１１３が設けられており、蓋部１１４に設けられた雄ネジ１１７と螺合することで、本体部１１０に蓋部１１４が取り付けられる。
【００３８】
蓋部１１４は、両端が開口した筒状を呈しており、開口内に板材１３が一体に設けられている。蓋部１１４の周壁１１５の一端（図示例では右端）には、外周面に雄ネジ１１７が設けられたフランジ１１６が一体に設けられている。
【００３９】
スペーサ１１は、図５及び図１６に示すように、両端が開口した筒状を呈しており、ケーシング８内において収容器１０と蓋９との間に介在している。スペーサ１１により、ケーシング８内において、収容器１０と蓋９との間に送風手段３を収容する収容空間が確保されている。
【００４０】
吸湿材４は、空気に含まれた水蒸気を吸着することにより、空気出口７に送られる空気を乾燥した状態にする。吸湿材４は、一般に使用されているものを用いることができるが、吸着能を向上するために、細孔を有する多数の粒状のものを用いることが好ましい。吸湿材４としては、例えばシリカゲル、ゼオライト、活性アルミナ、塩化カルシウム等を挙げることができる。吸湿材４が水蒸気を吸着できなくなった場合には、吸湿材４を取り替える必要があるが、吸湿材４としてシリカゲルやゼオライト等を用いた場合には、吸湿材４を加熱することにより吸着能を再生することができる。
【００４１】
蓄熱材５は、吸湿材４により空気を除湿した際に生じる吸着熱を蓄熱することにより、この吸着熱による空気の温度上昇を抑制し、空気出口７に送られる空気を低温の状態にする。蓄熱材５としては、例えば、温度に応じて潜熱の吸収を生じる相変化物質をカプセル等に封入してなる多数の蓄熱カプセルを用いることができる。この蓄熱カプセルは、特許第４５０８８６７号公報や特許第４８６１１３６号公報に記載されたものを用いることができる。収容器１０内で蓄熱材５を吸湿材４に均一に混合することにより、蓄熱材５が吸湿材４に良好に接触し、吸着熱の蓄熱材５への伝達効率が高くなる。よって、吸湿材４を通過した空気の吸着熱による温度上昇を効果的に抑制することができる。なお、蓄熱材５としては、上述した蓄熱カプセルに限定されるものではなく、吸着熱を蓄熱できる素材であれば、種々の素材を用いることができる。
【００４２】
次に、上述した本実施形態の冷却服１０００の使用方法について説明する。図７に示すように、使用者は、まず、身体の上（又は肌着の上）に胴着４００を着用した後、図２に示すように、その上に中衣１００を着用し、図６に示すように、さらにその上に外衣３００を着用する。中衣１００及び外衣３００を着用する際には、送風冶具２００を、その先端部２０１が外衣３００の外側に突き出るように中衣１００の内側から外衣３００の外側に向けて第１貫通孔１０５及び第２貫通孔３０２に挿し通して、図１に示すように、送風冶具２００の先端部２０１に送風装置１の空気出口７を直接的に又は送風ホース５００を介して間接的に接続する。送風装置１は、例えば使用者の外衣３００やズボンに巻かれたベルトに取り付けるための取付手段（図示せず）を備えることで、送風装置１を使用者の腰部あたりに装着することができる。
【００４３】
この状態で、送風装置１の送風手段３を駆動すると、外気（空気）が空気入口６を介して筒状容器２内に取り込まれ、空気出口７より使用者が着用した中衣１００内に送り出される。中衣１００内に送り出された空気が使用者の身体に沿って中衣１００内を通過することにより、身体の汗が気化し易くなり、汗が気化する際の冷却効果で使用者の体温の低下を促すことができる。また、高温多湿の空気が空気入口６より筒状容器２内に取り込まれても、吸湿材４により空気に含まれた水蒸気が吸着されて乾燥した空気が中衣１００内に送り出されるうえ、吸湿材４による空気の除湿の際に生じた吸着熱が蓄熱材５に蓄熱されて中衣１００内に送り出される空気の温度上昇が抑制される。よって、中衣１００内の空間を快適な環境とすることができる。
【００４４】
なお、本実施形態では、送風装置１へ外気を単に導入しているが、コンプレッサーや空気ボンベ（高圧空気ボンベ）等の圧縮空気源を用いて外気を導入してもよい。あるいは、新鮮な空気のある場所に設置した電動送風機（清浄空気供給ユニット等）を用いて送風装置１へ外気を導入してもよい。
【００４５】
以上のように、本実施形態の冷却服１０００によれば、使用者により外衣３００の下に着用される中衣１００が非通気性であり、中衣１００の内側の気密性が高いため、送風装置１により中衣１００の内側に送り込まれた空気が中衣１００の外側に漏れることを防止することができる。よって、送風装置１により中衣１００の内側に送り込まれた空気が、中衣１００の内側で使用者の身体に沿って安定して流れることから、空気が中衣１００の内側を広範囲に行き渡り、身体の汗が良好に気化する。その結果、気化熱を利用した身体の冷却効果を効果的に得ることができる。
【００４６】
よって、本実施形態の冷却服１０００は、外側からの防護のために必要であるが、着用により暑さや蒸れを伴う服を外衣３００とする場合に好適である。この種の外衣３００としては、例えば作業服、防護服、防塵衣、耐火服、耐蜂服、レーシングドライバー用衣類等が挙げられるが、これらに限定されるものではない。
【００４７】
また、本実施形態の冷却服１０００によれば、中衣１００に手軽に取り付けられる送風冶具２００による簡易な構成で送風装置１からの空気を中衣１００の内側に送り込むようにしたため、外衣３００を脱いでも中衣１００へ送風できる。また、使用状況や作業状況に応じて、防護性等の性能の異なる外衣３００に交換することも容易にできる。また、使用状況や作業状況に応じて、異なる性能の送風装置１に交換することも容易にできる。
【００４８】
また、本実施形態の冷却服１０００によれば、外衣３００の上にハーネスやサスペンダーを装着したり、外衣３００の上から重い荷物や装備品等を背負ったりした場合においても、胴着４００を中衣１００の下に着用していることで、身体の背中に当たる部位ではクッション材４０８により中衣１００と身体との間の空間がつぶれないため、中衣１００内では空気の流れが阻害されずに空気の流路が十分に確保されている。よって、送風装置１から中衣１００内に送り込まれた空気は、背中を通って身体の前側（胸や腹側）まで広範囲に行き渡るため、身体の汗が良好に気化し、気化熱を利用した身体の冷却効果を効果的に得ることができる。特に本実施形態では、胴着４００は、身体の肩や横腹に当たる部位にもクッション材４０８を備えているため、送風装置１から中衣１００内に送り込まれた空気を背中から肩や横腹を通して身体の前側（胸や腹側）に良好に流通させることができるため、身体の冷却効果をさらに効果的に得ることができる。
【００４９】
また、本実施形態の冷却服１０００によれば、送風装置１について、蓄熱材５を吸湿材４とともに筒状容器２内に収容した構成としたので、簡易な構成で中衣１００内に送り込む空気の除湿を実現でき、装置の小型化及び軽量化が可能である。なお、送風装置１は、作業に大きな影響を及ぼさないサイズが好ましく、重さは、例えば３ｋｇ以下が好ましい。
【００５０】
また、本実施形態の冷却服１０００によれば、送風装置１の筒状容器２が、ケーシング８、蓋９及び収容器１０で構成され、収容器１０を交換可能であるので、吸湿材４の吸着能や蓄熱材５の蓄熱能が限界に到達した際には、吸湿材４及び蓄熱材５を容易に取り替えることができる。
【００５１】
加えて、収容器１０が本体部１００及び蓋部１０４で構成され、吸湿材４及び蓄熱材５を容易に取り出し可能であるので、吸湿材４の吸着能が限界に到達した際には、吸湿材４を容易に取り出して加熱等を行うことで再生することができる。
【００５２】
以上、本発明の一実施形態について説明したが、上述した実施形態は、全ての点で例示であって制限的なものではないため、本発明は上述した実施形態に限定されるものではない。本発明の技術的範囲は、特許請求の範囲によって画定され、また特許請求の範囲の記載と均等の意味および範囲内での全ての変更を含むものであり、よって、本発明は、本発明の趣旨を逸脱しない限りにおいて種々の変更が可能である。
【００５３】
例えば、上記した実施形態では、中衣１００に第１貫通孔１０５が１つだけ形成されているが、第１貫通孔１０５を２つ以上形成し、第１貫通孔１０５ごとに送風冶具２００を取り付けて送風装置１からの空気を中衣１００の内側に送り込むようにしてもよい。
【００５４】
また、上記した実施形態では、送風冶具２００がフランジ２０５を含んでいて、このフランジ２０５が中衣１００の第１貫通孔１０５の周囲部に突き当たるにより基端部２０２が中衣１００に取り付けられている。しかし、図１９に示すように、送風冶具２００が中衣１００の第１開口孔１０５の周囲に配置されるリング状の固定具２０６を含み、送風冶具２００の基端部２０２の外周面に雄ネジを形成する一方で、固定具２０６の内周面に雌ネジを形成し、送風冶具２００の基端部２０２と固定具２０６とで中衣１００を挟んで両ネジによる結合で基端部２０２と固定具２０６とを固定することで、基端部２０２を中衣１００に取り付けてもよい。固定具２０６は、中衣１００に設置されていても設置されていなくてもよい。また、送風冶具２００の基端部２０２を中衣１００に取り付ける方法は、上述した方法に限定されない。
【００５５】
また、上記した実施形態では、外衣３００に第２貫通孔３０２が形成されていて、送風冶具２００は、その先端部２０１が外衣３００の外側に突き出るように中衣１００の第１貫通孔１０５及び外衣３００の第２貫通孔３０２に挿し通されている。しかし、外衣３００に第２貫通孔３０２を形成せず、送風冶具２００の先端部２０１に接続された送風ホース５００を外衣３００の裾部から外衣３０００の外側に露出させてもよい。
【００５６】
また、上記した実施形態において、胴着４００のクッション材４０８の身体側の表面に、吸水性に優れる吸汗材料を設けてもよい。吸汗材料は、汗を吸収拡散し、放散しやすい材料が好ましく、本来疎水性であるポリエステル、ナイロン、ポリプロピレン、ポリエチレン等の合成繊維から適宜選定することが可能で、上記からなる繊維の原糸改質や表面加工により吸水拡散性、吸水速度及び放散性を向上させたもの、さらには、極細化繊維、異形断面形状繊維等を使用することも有効な手段である。また、これら繊維の混合化、複合化及び混繊した糸状からなる繊維集合体等を使用することも有効な手段となる。吸汗材料としては、織物、編物、不織布等の形態とすることが好ましい。クッション材４０８と吸水材料との固定方法は、特に限定されるものではなく、例えば縫製や接着等を用いることができる。吸水材料は、身体からの汗を吸収することで、衣服内において汗を送風装置１からの送風により効率よく気化させることができるので、効果的に気化熱が奪われることにより身体を良好に冷却することができる。
【００５７】
なお、上述した吸汗材料を用いて作製した下着等を身体の上に着用し、その上から胴着４００を着用するようにしてもよい。
【００５８】
また、上記実施形態では、胴着４００の表地４０６に通気性を有する素材（具体的にはメッシュ生地）が用いられているが、中衣１００内における送風の効率を上げるために、表地４０６に非通気性の素材を用いてもよい。非通気性の素材としては、生地（織物、編物、不織布）に樹脂をラミネートもしくはコーティングした材料や、生地に樹脂フィルムを積層した材料、樹脂フィルム等を例示することができる。
【００５９】
また、上述した実施形態では、胴着４００の身体の胸及び腹に当たる部位である左右の前面部４０１Ｒ，４０１Ｌにクッション材４０８を備えていないが、左右の前面部４０１Ｒ，４０１Ｌにもクッション材４０８を備えるように構成してもよい。
【００６０】
また、上述した実施形態では、胴着４００は、身体の背中に当たる部位に加えて、肩及び横腹に当たる部位にクッション材４０８を備えているが、肩及び横腹に当たる部位にクッション材４０８は必ずしも備えていなくてもよい。
【００６１】
また、上述した実施形態では、胴着４００は、左右の前面部４０１Ｒ，４０１Ｌがファスナー４０３により開閉可能となっているが、ボタンやバンド等のその他の手段により、左右の前面部４０１Ｒ，４０１Ｌが開閉可能となるように構成してもよいし、左右の前面部４０１Ｒ，４０１Ｌが開閉せずに一連に繋がるように構成してもよい。
【００６２】
また、上述した実施形態では、胴着４００は、左右の前面部４０１Ｒ，４０１Ｌと後面部４０２とが一連に繋がっているが、左右の前面部４０１Ｒ，４０１Ｌと後面部４０２とを調節ベルト（図示せず）を介して繋げることで、胴着４００を使用者の体型に合わせて胴回りのサイズを変えることが可能なアジャスター機能が付与されるように構成してもよい。
【００６３】
また、上述した実施形態では、胴着４００は、表地４０６と裏地４０７とを有し、表地４０６及び裏地４０７の間にクッション材４０８を介在させた構造のものであるが、クッション材４０８が身体の所望の部位（少なくとも背中、さらには肩や横腹）に当たる部位に備えられるのであれば、胴着４００の構造は特に限定されない。
【００６４】
また、上述した実施形態では、胴着４００は、袖部を有していないが、袖部を有するように構成してもよい。
【００６５】
また、上述した実施形態では、送風装置１は、収容器１０が吸湿材４及び蓄熱材５を混合した状態で収容しているが、吸湿材４及び蓄熱材５を互いに仕切って分離した状態で収容してもよい。吸湿材４及び蓄熱材５を互いに仕切るには、収容器１０内を複数の孔が形成された仕切板で２つの区画に仕切り、各区画に吸湿材４、蓄熱材５をそれぞれ収容するようにしてもよいし、吸湿材４及び蓄熱材５をそれぞれ異なる通気性を有する袋（例えばメッシュ状の袋等）に充填し、各袋を収容器１０に並べて収容するようにしてもよい。この場合には、蓄熱材５は、吸湿材４よりも空気の流れの下流側に配置され、吸湿材４により除湿された際の吸着熱によって温度上昇した空気の熱を蓄熱することにより、温度上昇した空気の温度を低下させて、衣服内に送り出される空気の温度上昇を抑制する。よって、衣服内の空間を快適な環境とすることができる。このように、吸湿材４及び蓄熱材５を互いに仕切った状態で収容器１０に収容した場合には、吸湿材４と蓄熱材５とを分けて取り出すことができるので、吸湿材４及び蓄熱材５をそれぞれの最適再生処理温度にて処理することが可能となり、再生効率が上がる。
【００６６】
また、上述した実施形態において、送風装置１は、吸湿材４及び蓄熱材５を収容器１０に収容する際には、束ねられて互いに接触した状態にあるアルミニウム箔からなる複数の筒状体を収容器１０内に配備し、各筒状体ごとに吸湿材４及び蓄熱材５を充填するようにしてもよい。この実施形態では、アルミニウム箔からなる筒状体により、吸湿材４による空気の除湿の際に生じる吸着熱が放熱されるので、空気を冷却することができる。なお、複数の筒状体に限らず、複数のアルミニウム製の薄板を格子状に配列した区画体を収容器１０内に配備し、各区画ごとに吸湿材４及び蓄熱材５を充填するようにしてもよい。
【００６７】
また、上述した実施形態では、送風装置１は吸湿材４及び蓄熱材５を備えた構成とされているが、吸湿材４及び蓄熱材５を備えていない、単に外気送風機能のみを有するように構成されていてもよい。また、送風装置１は、有害物質や有毒物質を除去するフィルターを備えた構成であってもよい。この場合も、吸湿材４及び蓄熱材５を備えていない、外気送風機能とフィルターとを備える構成でもよい。フィルターは、使用環境に応じて様々なものを用いることができる。また、送風装置１は、使用環境において適切な構成のものを用いられるように交換できるように構成されていてもよい。
【００６８】
また、上述した実施形態において、送風装置１は、筒状容器２の周囲を覆うようにしてＰＣＭ等の保冷剤を配備してもよい。これにより、吸湿材４による空気の除湿の際に生じる吸着熱が放熱されるので、空気を冷却することができる。
【００６９】
また、上述した実施形態では、中衣１００及び外衣３００は、身体の全身を覆うものであるが、上半身のみ又は下半身のみを覆うものであってもよい。
【実施例】
【００７０】
以下に本発明の実施例を示し、本発明をより具体的に説明するが、本発明は、以下の実施例に限定されるものではない。
【００７１】
外衣の下に中衣を着用した場合と着用しない場合とにおいて、空気の送風量と送風による身体の冷却性能とに関する試験を行った。具体的に、３２℃・６０％ＲＨに制御した部屋に、吸汗下着を着せた発汗マネキンを準備し、吸汗下着の上に内衣及び外衣の順に着せたのを実施例とし、吸汗下着の上に外衣を着せたのを比較例とした。発汗マネキンの皮膚温度は３５℃に制御した。外衣には無透湿の合羽（市販用）を用い、中衣にはナイロン織物にポリウレタン樹脂をコーティングした防水透湿布帛を用いた。使用したナイロン織物は、７８デシテックス９６フィラメントからなる質量６０ｇ／ｍ２の平織物を定法により精錬、染色、撥水処理、乾燥後、コーターを使用し、ウレタン樹脂溶液をコーティングした。これを、２０℃の水中に導き、３分間凝固させた後、１３０℃のオーブンで乾燥し、樹脂層厚４５μｍの微多孔膜を得た。得られた防水透湿布帛の厚みは０．２２ｍｍ、質量９５ｇ／ｍ２、透湿度１１５ｇ／ｍ２・ｈであった。また、吸汗下着は、以下の方法で作製した吸汗材料により作製した。ポリエステルフィラメント（８４デシテックス×７２フィラメント）を使用し、スムース組織で編成後、定法により精錬し、さらに分散染料により染色した。その後、親水化剤（高松油脂株式会社製、ＳＲ−１０００）を１％濃度でパッド、ドライし親水性を付与した。このようにして得られた編地は、厚さ０．８０ｍｍ、質量１５３ｇ／ｍ２、吸水拡散性（ＪＩＳ  Ｌ  １９０７  滴下法）が２ｓｅｃ以下、吸水速度（ＪＩＳ  Ｌ  １９０７  バイレック法）が１００ｍｍであった。
【００７２】
実施例及び比較例ともに、発汗マネキンを４００ｇ／ｍ２・ｈｒの発汗量で１５分間発汗させた後、前記発汗量で発汗させながら６０分間にわたり部屋内の空気を実施例では吸汗下着と中衣との間に、比較例では吸汗下着と外衣との間にファンを用いて送風した。ファンの送風量は、実施例及び比較例ともに１００Ｌ／ｍｉｎ、２００Ｌ／ｍｉｎ、４００Ｌ／ｍｉｎとした。発汗マネキンの皮膚温度を３２℃に制御するのにかかる消費電力量から発汗マネキンの全身の平均放熱量（Ｗ／ｍ２）を算出した。その結果を図２０に示す。
【００７３】
図２０によると、外衣の下に中衣を着用することで、中衣を着用しない場合との比較で放熱量が約２倍となり、身体の冷却性能が良好となることが確認され、中衣を着用することで衣服内をより快適な環境にできることが確認された。
【産業上の利用可能性】
【００７４】
本発明は、作業現場での作業の際に利用することができ、特に、夏場の高温多湿の環境下での利用に適しており、産業界に大いに寄与できる。
【符号の説明】
【００７５】
１    送風装置
２    筒状容器
３    送風手段
４    吸湿材
５    蓄熱材
６    空気入口
７    空気出口
８    ケーシング
９    蓋
１０  収容器
１１  スペーサ
１３  板材
１４  網材
１００  中衣
１０５  第１貫通孔
２００  送風冶具
２０１  先端部
２０２  基端部
２０５  フランジ
２０６  固定具
３００  外衣
３０２  第２貫通孔
３０３  パッキン
４００  胴着
４０８  クッション材
１０００  冷却服
【図１】
2020153050.tif 000003
【図２】
2020153050.tif 000004
【図３】
2020153050.tif 000005
【図４】
2020153050.tif 000006
【図５】
2020153050.tif 000007
【図６】
2020153050.tif 000008
【図７】
2020153050.tif 000009
【図８】
2020153050.tif 000010
【図９】
2020153050.tif 000011
【図１０】
2020153050.tif 000012
【図１１】
2020153050.tif 000013
【図１２】
2020153050.tif 000014
【図１３】
2020153050.tif 000015
【図１４】
2020153050.tif 000016
【図１５】
2020153050.tif 000017
【図１６】
2020153050.tif 000018
【図１７】
2020153050.tif 000019
【図１８】
2020153050.tif 000020
【図１９】
2020153050.tif 000021
【図２０】
2020153050.tif 000022
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
非通気性でありかつ少なくとも１つの第１貫通孔が形成された中衣であって、外衣の下に着用される中衣と、
内部に空気流路を有する筒状を呈する送風冶具であって、その先端部が前記第１貫通孔から前記中衣の外側に突き出るようにその基端部が前記中衣に取り付けられる送風冶具と、を備え、
前記送風冶具の先端部に、前記中衣の内側に空気を送り込むための送風装置が直接的又は間接的に着脱可能である、冷却服。
【請求項２】
前記外衣には少なくとも１つの第２貫通孔が形成されており、
前記送風冶具は、その先端部が前記外衣の外側に突き出るように前記第１貫通孔及び前記第２貫通孔の順に挿し通される、請求項１に記載の冷却服。
【請求項３】
前記第１貫通孔の内周縁及び／又は前記第２貫通孔の内周縁には、前記送風冶具の外周面に当接するパッキンが装着されている、請求項２に記載の冷却服。
【請求項４】
前記送風冶具の基端部には、前記第１貫通孔よりも外径が大きいフランジが設けられており、前記フランジが前記中衣の第１貫通孔の周囲部に内側から突き当たることで、前記送風冶具の基端部が前記中衣に取り付けられる、請求項１〜３のいずれか一項に記載の冷却服。
【請求項５】
内周面に雌ネジが形成された環状の固定具をさらに備え、
前記送風冶具の基端部は、外周面に雄ネジが形成されており、前記第１貫通孔を間に挟んで前記送風冶具の基端部の雄ネジと前記固定具の雌ネジとが螺合することで、前記送風冶具の基端部が前記中衣に取り付けられる、請求項１〜３のいずれか一項に記載の冷却服。
【請求項６】
前記中衣の下に着用される胴着をさらに備え、
前記胴着は、身体の少なくとも背中に当たる部位に通気性及び弾力性を有するクッション材を備える、請求項１〜５のいずれか一項に記載の冷却服。
【請求項７】
前記胴着は、身体のさらに肩に当たる部位に前記クッション材を備える、請求項６に記載の冷却服。
【請求項８】
前記胴着は、身体のさらに横腹に当たる部位に前記クッション材を備える、請求項６又は７に記載の冷却服。
【請求項９】
前記胴着の前記クッション材を備える部位は、表地及び裏地を有し、前記表地と前記裏地との間に前記クッション材が介在されている、請求項６〜８のいずれか一項に記載の冷却服。
【請求項１０】
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備える、請求項１〜９のいずれか一項に記載の冷却服。
【請求項１１】
前記筒状容器は、前記収容器と前記蓋との間に介在するスペーサをさらに備え、
前記送風手段は、前記スペーサ内に位置するよう前記蓋に取り付けられている、請求項１０に記載の冷却服。
【請求項１２】
前記収容器は、前記空気出口側の開口部が網材で塞がれている、請求項１０又は１１に記載の冷却服。
【請求項１３】
前記収容器は、前記空気入口側の開口部が複数の孔が形成された板材により塞がれている、請求項１０〜１２のいずれか一項に記載の冷却服。
【請求項１４】
前記吸湿材及び前記蓄熱材は、混合した状態で前記筒状容器に収容されている、請求項１０〜１３のいずれか一項に記載の冷却服。
【請求項１５】
前記吸湿材及び前記蓄熱材は、互いが仕切られた状態で前記筒状容器に収容されている、請求項１０〜１３のいずれか一項に記載の冷却服。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
非通気性でありかつ少なくとも１つの第１貫通孔が形成された中衣であって、外衣の下に着用される中衣と、
内部に空気流路を有する筒状を呈する送風冶具であって、その先端部が前記第１貫通孔から前記中衣の外側に突き出るようにその基端部が前記中衣に取り付けられる送風冶具と、を備え、
前記送風冶具の先端部に、前記中衣の内側に空気を送り込むための送風装置が直接的又は間接的に着脱可能である、冷却服。
【請求項２】
前記中衣の上に着用される前記外衣を更に備え、
前記外衣には少なくとも１つの第２貫通孔が形成されており、
前記送風冶具は、その先端部が前記外衣の外側に突き出るように前記第１貫通孔及び前記第２貫通孔の順に挿し通される、請求項１に記載の冷却服。
【請求項３】
前記第１貫通孔の内周縁及び／又は前記第２貫通孔の内周縁には、前記送風冶具の外周面に当接するパッキンが装着されている、請求項２に記載の冷却服。
【請求項４】
前記送風冶具の基端部には、前記第１貫通孔よりも外径が大きいフランジが設けられており、前記フランジが前記中衣の第１貫通孔の周囲部に内側から突き当たることで、前記送風冶具の基端部が前記中衣に取り付けられる、請求項１〜３のいずれか一項に記載の冷却服。
【請求項５】
内周面に雌ネジが形成された環状の固定具をさらに備え、
前記送風冶具の基端部は、外周面に雄ネジが形成されており、前記第１貫通孔を間に挟んで前記送風冶具の基端部の雄ネジと前記固定具の雌ネジとが螺合することで、前記送風冶具の基端部が前記中衣に取り付けられる、請求項１〜３のいずれか一項に記載の冷却服。
【請求項６】
前記中衣の下に着用される胴着をさらに備え、
前記胴着は、身体の少なくとも背中に当たる部位に通気性及び弾力性を有するクッション材を備える、請求項１〜５のいずれか一項に記載の冷却服。
【請求項７】
前記胴着は、身体のさらに肩に当たる部位に前記クッション材を備える、請求項６に記載の冷却服。
【請求項８】
前記胴着は、身体のさらに横腹に当たる部位に前記クッション材を備える、請求項６又は７に記載の冷却服。
【請求項９】
前記胴着の前記クッション材を備える部位は、表地及び裏地を有し、前記表地と前記裏地との間に前記クッション材が介在されている、請求項６〜８のいずれか一項に記載の冷却服。
【請求項１０】
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備える、請求項１〜９のいずれか一項に記載の冷却服。
【請求項１１】
前記筒状容器は、前記収容器と前記蓋との間に介在するスペーサをさらに備え、
前記送風手段は、前記スペーサ内に位置するよう前記蓋に取り付けられている、請求項１０に記載の冷却服。
【請求項１２】
前記収容器は、前記空気出口側の開口部が網材で塞がれている、請求項１０又は１１に記載の冷却服。
【請求項１３】
前記収容器は、前記空気入口側の開口部が複数の孔が形成された板材により塞がれている、請求項１０〜１２のいずれか一項に記載の冷却服。
【請求項１４】
前記吸湿材及び前記蓄熱材は、混合した状態で前記筒状容器に収容されている、請求項１０〜１３のいずれか一項に記載の冷却服。
【請求項１５】
前記吸湿材及び前記蓄熱材は、互いが仕切られた状態で前記筒状容器に収容されている、請求項１０〜１３のいずれか一項に記載の冷却服。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
非通気性でありかつ少なくとも１つの第１貫通孔が形成された中衣であって、外衣の下に着用される中衣と、
内部に空気流路を有する筒状を呈する送風冶具であって、その先端部が前記第１貫通孔から前記中衣の外側に突き出るようにその基端部が前記中衣に取り付けられ、前記基端部から外側に延びた部分に前記外衣を位置させる送風冶具と、を備え、
前記送風冶具は、前記基端部から外側に延びた部分の外径が長手方向に同じであり、
前記送風冶具の先端部に、前記中衣の内側に空気を送り込むための送風装置が直接的又は間接的に着脱可能である、冷却服。     
【請求項２】
前記中衣の上に着用される前記外衣を更に備え、
前記外衣には少なくとも１つの第２貫通孔が形成されており、
前記送風冶具は、その先端部が前記外衣の外側に突き出るように前記第１貫通孔及び前記第２貫通孔の順に挿し通される、請求項１に記載の冷却服。
【請求項３】
前記第１貫通孔の内周縁及び／又は前記第２貫通孔の内周縁には、前記送風冶具の外周面に当接するパッキンが装着されている、請求項２に記載の冷却服。
【請求項４】
前記送風冶具の基端部には、前記第１貫通孔よりも外径が大きいフランジが設けられており、前記フランジが前記中衣の第１貫通孔の周囲部に内側から突き当たることで、前記送風冶具の基端部が前記中衣に取り付けられる、請求項１〜３のいずれか一項に記載の冷却服。
【請求項５】
内周面に雌ネジが形成された環状の固定具をさらに備え、
前記送風冶具の基端部は、外周面に雄ネジが形成されており、前記第１貫通孔を間に挟んで前記送風冶具の基端部の雄ネジと前記固定具の雌ネジとが螺合することで、前記送風冶具の基端部が前記中衣に取り付けられる、請求項１〜３のいずれか一項に記載の冷却服。
【請求項６】
前記中衣の下に着用される胴着をさらに備え、
前記胴着は、身体の少なくとも背中に当たる部位に通気性及び弾力性を有するクッション材を備える、請求項１〜５のいずれか一項に記載の冷却服。
【請求項７】
前記胴着は、身体のさらに肩に当たる部位に前記クッション材を備える、請求項６に記載の冷却服。
【請求項８】
前記胴着は、身体のさらに横腹に当たる部位に前記クッション材を備える、請求項６又は７に記載の冷却服。
【請求項９】
前記胴着の前記クッション材を備える部位は、表地及び裏地を有し、前記表地と前記裏地との間に前記クッション材が介在されている、請求項６〜８のいずれか一項に記載の冷却服。
【請求項１０】
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備える、請求項１〜９のいずれか一項に記載の冷却服。
【請求項１１】
前記筒状容器は、前記収容器と前記蓋との間に介在するスペーサをさらに備え、
前記送風手段は、前記スペーサ内に位置するよう前記蓋に取り付けられている、請求項１０に記載の冷却服。
【請求項１２】
前記収容器は、前記空気出口側の開口部が網材で塞がれている、請求項１０又は１１に記載の冷却服。
【請求項１３】
前記収容器は、前記空気入口側の開口部が複数の孔が形成された板材により塞がれている、請求項１０〜１２のいずれか一項に記載の冷却服。
【請求項１４】
前記吸湿材及び前記蓄熱材は、混合した状態で前記筒状容器に収容されている、請求項１０〜１３のいずれか一項に記載の冷却服。
【請求項１５】
前記吸湿材及び前記蓄熱材は、互いが仕切られた状態で前記筒状容器に収容されている、請求項１０〜１３のいずれか一項に記載の冷却服。